(57)【要約】      （修正有）【課題】防水層にしわが生じることを簡易に防止することができる粘着層付き防水シートを用いた工法を提供する。【解決手段】粘着層付き防水シートを用いた工法は、施工面２側に位置する面に部分的に粘着層１３を備え、前記施工面側に位置する面の粘着層１３が設けられていない部位は連通するように形成された粘着層付き防水シートの長手方向の端部と端部とを重ねて施工面２に付着させる防水シート付着工程と、この防水シート付着工程の後、粘着層付き防水シートの長手方向の端部と端部とを重ねた部分に係止部材を施工面２に打ち付けて粘着層付き防水シートを施工面２に固定する防水シート施工面固定工程と、この防水シート施工面固定工程の後、粘着層付き防水シートの上に塗膜防水材を塗布又は、アスファルトのシ−ト３を貼る被覆工程とを備えてなるものである。【選択図】図７
2007170015.tif 000002
【特許請求の範囲】
【請求項１】
施工面側に位置する面に部分的に粘着層を備え、前記施工面側に位置する面の前記粘着層が設けられていない部位は連通するように形成された粘着層付き防水シートの長手方向の端部と端部とを重ねて前記施工面に付着させる防水シート付着工程と、
この防水シート付着工程の後、前記粘着層付き防水シートの長手方向の端部と端部とを重ねた部分に係止部材を前記施工面に打ち付けて前記粘着層付き防水シートを前記施工面に固定する防水シート施工面固定工程と、
この防水シート施工面固定工程の後、前記粘着層付き防水シートの上に塗膜防水材を塗布又は、アスファルトのシ−トを貼る被覆工程と
を備えてなることを特徴とする粘着層付き防水シートを用いた工法。
【請求項２】
施工面側に位置する面に部分的に粘着層を備えた粘着層付き防水シートであって、
前記粘着層付き防水シートの施工面側に位置する面の前記粘着層が設けられていない部位は連通するようになっていることを特徴とする粘着層付き防水シート。  
【発明の詳細な説明】
【技術分野】
【０００１】
本発明は、粘着層付き防水シート及びそれを用いた工法に係り、特に、防水層にしわが生じることを簡易に防止することができる粘着層付き防水シート及びそれを用いた工法に関する。
【背景技術】
【０００２】
従来、防水シートの長手方向の端部と端部とを重ねて施工面に付着させ、重ねた部分を介して釘を打ち付けて防水シートを施工面に固定するようにしている。従って、防水シートの重ねた部分は、その動きを釘により拘束されることとなる。
【発明の開示】
【発明が解決しようとする課題】
【０００３】
しかしながら、防水シートの重ねた部分以外の部位は、拘束されていないため、塗膜防水材の硬化による収縮、外気温に起因する熱による線膨張等によって防水シートにしわを生じ、このしわは防水シートの上に塗布される塗膜防水材のしわの原因ともなり、防水施工面が良好でないという問題点が生じた。
本発明は、上記問題点を除去するようにした粘着層付き防水シート及びそれを用いた工法を提供するものである。
【課題を解決するための手段】
【０００４】
上記目的を達成するために、請求項１記載の粘着層付き防水シートを用いた工法は、施工面側に位置する面に部分的に粘着層を備え、前記施工面側に位置する面の前記粘着層が設けられていない部位は連通するように形成された粘着層付き防水シートの長手方向の端部と端部とを重ねて前記施工面に付着させる防水シート付着工程と、この防水シート付着工程の後、前記粘着層付き防水シートの長手方向の端部と端部とを重ねた部分に係止部材を前記施工面に打ち付けて前記粘着層付き防水シートを前記施工面に固定する防水シート施工面固定工程と、この防水シート施工面固定工程の後、前記粘着層付き防水シートの上に塗膜防水材を塗布又は、アスファルトのシ−トを貼る被覆工程とを備えてなるものである。
【０００５】
また、請求項２記載の粘着層付き防水シートは、施工面側に位置する面に部分的に粘着層を備えた粘着層付き防水シートであって、前記粘着層付き防水シートの施工面側に位置する面の前記粘着層が設けられていない部位は連通するようになっているものである。
【発明の効果】
【０００６】
請求項１記載の粘着層付き防水シートを用いた工法によれば、粘着層付き防水シートの施工面側に位置する面に部分的に粘着層を備えているため、粘着層付き防水シートの長手方向の端部と端部とを重ねた部分以外の粘着層は施工面に付着し、粘着層付き防水シートの外気温に起因する熱による線膨張によるしわを簡易に防ぎ、防水層にしわが生じることを防止して、防水施工面を良好なものとすることができ、しかも、粘着層付き防水シートの施工面側の面の粘着層が設けられていない部位は連通しているため、施工面に生じた蒸気等を脱気筒又はドレインに導くことができる。
【０００７】
また、請求項２記載の粘着層付き防水シートによれば、粘着層付き防水シートの施工面側に位置する面に部分的に粘着層を備えているため、粘着層付き防水シートを施工面に付着させるだけで、粘着層付き防水シートの外気温に起因する熱による線膨張によるしわを簡易に防ぎ、防水層にしわが生じることを防止して、防水施工面を良好なものとすることができ、しかも、粘着層付き防水シートの施工面側の面の粘着層が設けられていない部位は連通しているため、施工面に生じた蒸気等を脱気筒又はドレインに導くことができる。
【実施例】
【０００８】
本発明の一実施例の粘着層付き防水シート及びそれを用いた工法を図面を参照して説明する。
図１乃至図３において、１は粘着層付き防水シートで、粘着層付き防水シート１は、基材１０と、この基材１０の一方の面に付着した改質アスファルトの層１１と、改質アスファルトの層１１を覆うポリエステル等の合成繊維のフィルム（又は不織布）１２と、施工面側に位置する面（本実施例では、フィルム１２）に部分的に設けられた粘着層１３（粘着層１３は、例えば、改質アスファルトである。）を備えている。
なお、基材１０は、例えば、合成樹脂フィルム（例えば、ＰＥＴフィルム）、不織布（例えば、ポリエステル繊維、ガラス不織布）とガラスメッシュを組み合わせたもの、合成樹脂フィルム（例えば、ＰＥＴフィルム）とガラスメッシュを組み合わせたもの、不織布（例えば、ポリエステル繊維）、ガラスメッシュ、合成樹脂フィルム（例えば、ＰＥＴフィルム）を組み合わせたものであり、１４は離型紙である。
【０００９】
また、図２及び図３に示すように、粘着層付き防水シート１の施工面側に位置する面（本実施例では、フィルム１２）の粘着層１３が設けられていない部位（例えば、後述する図６及び図７で示すＸ）は連通するようになっている。改質アスファルトの層１１及び粘着層１３の改質アスファルトは、合成ゴムあるいは合成樹脂を加えてアスファルトの性質を改良したもので、本実施例にあっては、特に、ブロ−ンとワックスを混入した改質アスファルトが良い。
【００１０】
従って、粘着層付き防水シート１の離型紙１４を剥がし、図４乃至図６に示すように、粘着層付き防水シート１を予め所定のプライマーを塗布し乾燥させた施工面２に粘着層１３を介して付着させる（防水シート付着工程）。
この防水シート付着工程の後、図７に示すように、粘着層付き防水シート１の上に塗膜防水材（塗膜防水材は、例えば、周知のウレタンゴム系、アクリルゴム系、クロロプレンゴム系、アクリル樹脂系、ゴムアスファルト系等である。）を塗布又は、アスファルトのシ−トを貼る（被覆工程）。
なお、図７に示す３は被覆部材で、被覆部材３は塗膜防水材又はアスファルトのシ−トである。
【００１１】
その結果、粘着層付き防水シート１を施工面２に付着させるだけで、施工面２に付着した粘着層付き防水シート１の部位は動きを拘束され、粘着層付き防水シート１の外気温に起因する熱による線膨張によるしわを簡易に防ぎ、防水層にしわが生じることを防止して、防水施工面を良好なものとすることができ、しかも、粘着層付き防水シート１の施工面側に位置する面（本実施例では、フィルム１２）の粘着層１３が設けられていない部位（例えば、図６及び図７で示すＸ）は連通しているため、施工面２に生じた蒸気等を脱気筒（図示せず）又はドレイン（図示せず）に導くことができる。
【００１２】
なお、前述した付着は、粘着層付き防水シート１の長手方向の端部と端部とを重ねて（例えば、図５で示すＹ）施工面２に付着させ（防水シート付着工程）ても良く。かかる場合、防水シート付着工程の後、図４に示すように、粘着層付き防水シート１の長手方向の端部と端部とを重ねた部分に係止部材（例えば、釘、ステープル、アンカーボルト等である。）４を施工面２に打ち付けて粘着層付き防水シート１を施工面２に固定する（防水シート施工面固定工程）ようにしても良い。
防水シート施工面固定工程の後、粘着層付き防水シート１の上に、前述と同様、塗膜防水材を塗布又は、アスファルトのシ−トを貼る（被覆工程）。
この場合、粘着層付き防水シート１の長手方向の端部と端部とを重ねた部分（例えば、図５で示すＹ）以外の粘着層１３は施工面２に付着し、粘着層付き防水シート１の外気温に起因する熱による線膨張によるしわを簡易に防ぎ、防水層にしわが生じることを防止して、防水施工面を良好なものとすることができ、しかも、粘着層付き防水シート１の施工面側の面（本実施例では、フィルム１２）の粘着層１３が設けられていない部位（例えば、図６及び図７で示すＸ）は連通しているため、施工面２に生じた蒸気等を脱気筒（図示せず）又はドレイン（図示せず）に導くことができる。
【図面の簡単な説明】
【００１３】
【図１】図１は、本発明の一実施例の粘着層付き防水シートの概略的平面図である。
【図２】図２は、図１の２−２線による概略的断面図である。
【図３】図３は、図１の粘着層付き防水シートの離型紙が剥がれる状態を示す概略的斜視図である。
【図４】図４は、図１の粘着層付き防水シートの長手方向の端部と端部とを重ねて施工面に付着させた状態を示す概略的斜視図である。
【図５】図５は、図４の概略的平面図である。
【図６】図６は、図５の６−６線による概略的断面図である。
【図７】図７は、被覆工程を示す概略的断面図である。
【符号の説明】
【００１４】
１  ・・・・・粘着層付き防水シート
２  ・・・・・施工面
４  ・・・・・係止部材
１３  ・・・・・粘着層
【図１】
2007170015.tif 000003
【図２】
2007170015.tif 000004
【図３】
2007170015.tif 000005
【図４】
2007170015.tif 000006
【図５】
2007170015.tif 000007
【図６】
2007170015.tif 000008
【図７】
2007170015.tif 000009